(57)【要約】【課題】固定ボルトや固定ナットで被固定物を対象物に固定した際、その固定ボルトや固定ナットを外部に露呈させることを困難にすることができる固定ボルトおよび固定ナット用キャップ式防犯具の提供を課題とする。【解決手段】被固定物５を床Ｆに固定するための固定ボルト２の頭部２ａおよびワッシャー２ｂと被固定物５の表面との間にはスペーサ１０によって空隙Ｓが形成されている。冠着部材２０は、固定ボルト２の頭部２ａおよびワッシャー２ｂに冠着する。この冠着部材２０の側壁部２２の下端部には、固定ボルト２の頭部２ａおよびワッシャー２ｂと被固定物５の表面との間に挿入するボルト用係止爪２３が形成されている。中空形状を有するキャップ部材３０の内壁面の下端部には円状突起部３１が形成されている。この円状突起部３１が、冠着部材２０の側壁部２２を押圧し、冠着部材２０のキャップ部材用係止爪２４，２５はこの円状突起部３１に係合する。【選択図】  図２１
2006275072.tif 000002
【特許請求の範囲】
【請求項１】
対象物に固定されているボルトが挿通可能な被固定物を当該ボルトと螺合する固定ナッ
トで前記ボルトに固定した際、前記固定ナットの下端面と前記被固定物の表面との間に空
隙を形成するスペース形成手段と、
天板部と該天板部の周縁部から下方に延在する複数枚の側壁部とを有し、前記固定ナッ
トに冠着する冠着部材であって、前記複数枚の側壁部の下端部には、前記固定ナットに冠
着した際、前記被固定物の表面と前記固定ナットの下端面との間に形成されている空隙部
分に挿入可能なナット用係止爪が形成されている冠着部材と、
前記固定ナットに冠着した前記冠着部材に冠着するキャップ部材であって、該キャップ
部材の内周壁面の下端部には、内側方向に突設され前記冠着部材の側壁部を押圧する円状
突起部が形成されているキャップ部材とから構成され、
前記冠着部材の側壁部には、前記キャップ部材が冠着された際、前記キャップ部材の前
記円状突起部の上面部分に係合するキャップ用係止爪が形成されていることを特徴とする
固定ナット用キャップ式防犯具。
【請求項２】
対象物に固定されているボルトが挿通可能な被固定物を当該ボルトと螺合する固定ナッ
トで前記ボルトに固定した際、前記固定ナットの下端面と前記被固定物の表面との間に空
隙を形成するスペース形成手段と、
天板部と該天板部の周縁部から下方に延在する複数枚の側壁部とを有し、前記固定ナッ
トに冠着する冠着部材であって、前記複数枚の側壁部の下端部には、前記固定ナットに冠
着した際、前記被固定物の表面と前記固定ナットの下端面との間に形成されている空隙部
分に挿入可能なナット用係止爪が形成されている冠着部材と、
前記固定ナットに冠着した前記冠着部材に冠着するキャップ部材であって、該キャップ
部材の内周壁面の下端部には、内側方向に突設され前記冠着部材の側壁部を押圧する円状
突起部が形成されているキャップ部材とから構成され、
前記冠着部材には、前記キャップ部材が冠着された際、前記キャップ部材の前記円状突
起部の上面部分に係合するキャップ用係止爪であって、前記天板部の周縁部から下方に延
在するキャップ用係止爪が形成されていることを特徴とする固定ナット用キャップ式防犯
具。
【請求項３】
前記スペース形成手段は、前記固定ナットの下端面に当接する前記固定ボルトが挿通可
能なスペーサであることを特徴とする請求項１または２に記載の固定ナット用キャップ式
防犯具。
【請求項４】
前記スペース形成手段は、前記固定ナットの下端面に当接するワッシャーに形成された
凸部であることを特徴とする請求項１または２に記載の固定ナット用キャップ式防犯具。
【請求項５】
前記スペース形成手段は、前記固定ナットの下面側に当該頭部と一体的に形成されたテ
ーパー部であることを特徴とする請求項１または２に記載の固定ナット用キャップ式防犯
具。
【請求項６】
前記スペース形成手段は、
前記ボルトが挿通可能な中空円筒状であって前記固定ナットの下端面と前記被固定物の
表面との間に空隙を形成するスペーサ部と、
該スペーサ部の下端部から周辺方向に延在するよう当該スペーサ部の下端部に連設され
た中空円盤状の底板部であって、その外径が前記キャップ部材の下端部の外径に略等しい
底板部と、
該底板部の周縁部から鉛直方向上方に延在するように当該底板部に連設された中空円筒
状の底板立上部とから構成され、
前記固定ナットの締着時に前記底板部は前記被固定物の表面に圧接し、前記キャップ部
材を装着した際、当該キャップ部材の下端部に冠着状態となるスペース部材であることを
特徴とする請求項１または２に記載の固定ナット用キャップ式防犯具。
【請求項７】
対象物に固定されているボルトが挿通可能な被固定物を当該ボルトと螺合する固定ナッ
トで前記ボルトに固定する際、前記固定ナットの下端面と前記被固定物の表面との間に介
挿固定される中空円盤状の固定部と、該固定部の周縁部に配設された弾性的に変形可能な
複数個のキャップ用係止爪とからなるキャップ係止部材と、
該キャップ係止部材および前記固定ナットに冠着可能なキャップ部材であって、該キャ
ップ部材の内周壁面の下端部には、前記キャップ用係止爪を押圧可能な内側方向に突設さ
れた円状突起部が形成されているキャップ部材とから構成され、
前記キャップ係止部材および前記固定ナットに前記キャップ部材を冠着した状態におい
ては、前記キャップ部材の前記円状突起部の上面部分に前記キャップ用係止爪が係合した
状態となることを特徴とする固定ナット用キャップ式防犯具。
【請求項８】
前記キャップ係止部材の前記固定部には、前記固定ナットの周囲に屹立する円筒状の側
壁部が形成され、当該側壁部の外壁面には雄ネジ部が形成され、
前記キャップ部材の内部には、前記側壁部の雄ネジ部と螺合可能な雌ネジ部をその内壁
面に有する円筒状の内筒部が配設されていることを特徴とする請求項７に記載の固定ナッ
ト用キャップ式防犯具。
【請求項９】
対象物に固定されているボルトが挿通可能な被固定物を当該ボルトと螺合する固定ナッ
トで前記ボルトに固定する際、前記ボルトが貫通可能な貫通口が底面部に形成され、当該
底面部の周囲に前記固定ナットを囲む周壁部が形成された防犯具本体と、
該防犯具本体の上端部に固着可能な蓋体とから構成されることを特徴とする固定ナット
用キャップ式防犯具。
【請求項１０】
固定ボルトが挿通可能な被固定物（ナンバープレートを除く）を当該固定ボルトと螺合
する雌ネジ部を有する対象物（車体を除く）に前記固定ボルトで固定した際、前記固定ボ
ルトの頭部の下端面と前記被固定物の表面との間に空隙を形成するスペース形成手段と、
天板部と該天板部の周縁部から下方に延在する複数枚の側壁部とを有し、前記固定ボル
トの頭部に冠着する冠着部材であって、前記複数枚の側壁部の下端部には、前記固定ボル
トの頭部に冠着した際、前記被固定物の表面と前記固定ボルトの頭部の下端面との間に形
成されている空隙部分に挿入可能なボルト用係止爪が形成されている冠着部材と、
前記固定ボルトの頭部に冠着した前記冠着部材に冠着するキャップ部材であって、該キ
ャップ部材の内周壁面の下端部には、内側方向に突設され前記冠着部材の側壁部を押圧す
る円状突起部が形成されているキャップ部材とから構成され、
前記冠着部材の側壁部には、前記キャップ部材が冠着された際、前記キャップ部材の前
記円状突起部の上面部分に係合するキャップ用係止爪が形成されていることを特徴とする
固定ボルト用キャップ式防犯具。
【請求項１１】
固定ボルトが挿通可能な被固定物（ナンバープレートを除く）を当該固定ボルトと螺合
する雌ネジ部を有する対象物（車体を除く）に前記固定ボルトで固定した際、前記固定ボ
ルトの頭部の下端面と前記被固定物の表面との間に空隙を形成するスペース形成手段と、
天板部と該天板部の周縁部から下方に延在する複数枚の側壁部とを有し、前記固定ボル
トの頭部に冠着する冠着部材であって、前記複数枚の側壁部の下端部には、前記固定ボル
トの頭部に冠着した際、前記被固定物の表面と前記固定ボルトの頭部の下端面との間に形
成されている空隙部分に挿入可能なボルト用係止爪が形成されている冠着部材と、
前記固定ボルトの頭部に冠着した前記冠着部材に冠着するキャップ部材であって、該キ
ャップ部材の内周壁面の下端部には、内側方向に突設され前記冠着部材の側壁部を押圧す
る円状突起部が形成されているキャップ部材とから構成され、
前記冠着部材には、前記キャップ部材が冠着された際、前記キャップ部材の前記円状突
起部の上面部分に係合するキャップ用係止爪であって、前記天板部の周縁部から下方に延
在するキャップ用係止爪が形成されていることを特徴とする固定ボルト用キャップ式防犯
具。
【請求項１２】
前記スペース形成手段は、前記固定ボルトの頭部の下端面に当接する前記固定ボルトが
挿通可能なスペーサであることを特徴とする請求項１０または１１に記載の固定ボルト用
キャップ式防犯具。
【請求項１３】
前記スペース形成手段は、前記固定ボルトの頭部の下端面に当接するワッシャーに形成
された凸部であることを特徴とする請求項１０または１１に記載の固定ボルト用キャップ
式防犯具。
【請求項１４】
前記スペース形成手段は、前記固定ボルトの頭部の下面側に当該頭部と一体的に形成さ
れたテーパー部であることを特徴とする請求項１０または１１に記載の固定ボルト用キャ
ップ式防犯具。
【請求項１５】
前記スペース形成手段は、
前記固定ボルトが挿通可能な中空円筒状であって前記固定ボルトの頭部の下端面と前記
被固定物の表面との間に空隙を形成するスペーサ部と、
該スペーサ部の下端部から周辺方向に延在するよう当該スペーサ部の下端部に連設され
た中空円盤状の底板部であって、その外径が前記キャップ部材の下端部の外径に略等しい
底板部と、
該底板部の周縁部から鉛直方向上方に延在するように当該底板部に連設された中空円筒
状の底板立上部とから構成され、
前記固定ボルトの締着時に前記底板部は前記被固定物の表面に圧接し、前記キャップ部
材を装着した際、当該キャップ部材の下端部に冠着状態となるスペース部材であることを
特徴とする請求項１０または１１に記載の固定ボルト用キャップ式防犯具。
【請求項１６】
固定ボルトが挿通可能な被固定物（ナンバープレートを除く）を当該固定ボルトと螺合
する雌ネジ部を有する対象物（車体を除く）に前記固定ボルトで固定する際、前記固定ボ
ルトの頭部の下端面と前記被固定物の表面との間に介挿固定される中空円盤状の固定部と
、該固定部の周縁部に配設された弾性的に変形可能な複数個のキャップ用係止爪とからな
るキャップ係止部材と、
該キャップ係止部材および前記固定ボルトの頭部に冠着可能なキャップ部材であって、
該キャップ部材の内周壁面の下端部には、前記キャップ用係止爪を押圧可能な内側方向に
突設された円状突起部が形成されているキャップ部材とから構成され、
前記キャップ係止部材および前記固定ボルトの頭部に前記キャップ部材を冠着した状態
においては、前記キャップ部材の前記円状突起部の上面部分に前記キャップ用係止爪が係
合した状態となることを特徴とする固定ボルト用キャップ式防犯具。
【請求項１７】
前記キャップ係止部材の前記固定部には、前記固定ボルトの頭部の周囲に屹立する円筒
状の側壁部が形成され、当該側壁部の外壁面には雄ネジ部が形成され、
前記キャップ部材の内部には、前記側壁部の雄ネジ部と螺合可能な雌ネジ部をその内壁
面に有する円筒状の内筒部が配設されていることを特徴とする請求項１６に記載の固定ボ
ルト用キャップ式防犯具。
【請求項１８】
固定ボルトが挿通可能な被固定物（ナンバープレートを除く）を当該固定ボルトと螺合
する雌ネジ部を有する対象物（車体を除く）に前記固定ボルトで固定する際、前記固定ボ
ルトが貫通可能な貫通口が底面部に形成され、当該底面部の周囲に前記固定ボルトの頭部
を囲む周壁部が形成された防犯具本体と、
該防犯具本体の上端部に固着可能な蓋体とから構成されることを特徴とする固定ボルト
用キャップ式防犯具。
【発明の詳細な説明】
【技術分野】
【０００１】
本発明は、固定ボルトを用いてこれと螺合する対象物に被固定物を固定した際や、固定
ナットを用いて対象物に固定されているボルトに被固定物を固定した際に、この被固定物
を盗難から守る固定ボルトおよび固定ナット用キャップ式防犯具に関するものである。
【背景技術】
【０００２】
自動車のナンバープレートやアルミホイール等の部品を車体に固定する場合や、変圧器
や自動販売機等の機器をその設置場所に固定する場合には、通常、固定ボルトや固定ナッ
トを用いてその固定が行なわれている。
【０００３】
例えば、図２５に示したように、自動販売機等の被固定物５は、床Ｆに埋設固定されて
いるボルト３に固定ナット４およびワッシャー４ｂによって固定されることによってその
設置場所に固定されている。
【発明の開示】
【発明が解決しようとする課題】
【０００４】
近年、犯罪の多様化に伴い、床Ｆ等の対象物にこのようにして固定されている被固定物
５を、固定ナット４を外すことによってその設置場所から盗むという盗難事件が発生して
いる。このような盗みを容易に行なうことができるのは、固定ナット４が露出した状態に
なっているので、犯罪者がペンチやプライヤー等の一般に市販されている工具を用いて固
定ナット４を容易に緩めることができるためである。
【課題を解決するための手段】
【０００５】
以上の問題を解決するために本発明の第１の手段は、対象物に固定されているボルトが
挿通可能な被固定物を当該ボルトと螺合する固定ナットで前記ボルトに固定した際、前記
固定ナットの下端面と前記被固定物の表面との間に空隙を形成するスペース形成手段と、
天板部と該天板部の周縁部から下方に延在する複数枚の側壁部とを有し、前記固定ナット
に冠着する冠着部材であって、前記複数枚の側壁部の下端部には、前記固定ナットに冠着
した際、前記被固定物の表面と前記固定ナットの下端面との間に形成されている空隙部分
に挿入可能なナット用係止爪が形成されている冠着部材と、前記固定ナットに冠着した前
記冠着部材に冠着するキャップ部材であって、該キャップ部材の内周壁面の下端部には、
内側方向に突設され前記冠着部材の側壁部を押圧する円状突起部が形成されているキャッ
プ部材とから構成され、前記冠着部材の側壁部には、前記キャップ部材が冠着された際、
前記キャップ部材の前記円状突起部の上面部分に係合するキャップ用係止爪が形成されて
いることを特徴とするものである。
【０００６】
本発明の第２の手段は、対象物に固定されているボルトが挿通可能な被固定物を当該ボ
ルトと螺合する固定ナットで前記ボルトに固定した際、前記固定ナットの下端面と前記被
固定物の表面との間に空隙を形成するスペース形成手段と、天板部と該天板部の周縁部か
ら下方に延在する複数枚の側壁部とを有し、前記固定ナットに冠着する冠着部材であって
、前記複数枚の側壁部の下端部には、前記固定ナットに冠着した際、前記被固定物の表面
と前記固定ナットの下端面との間に形成されている空隙部分に挿入可能なナット用係止爪
が形成されている冠着部材と、前記固定ナットに冠着した前記冠着部材に冠着するキャッ
プ部材であって、該キャップ部材の内周壁面の下端部には、内側方向に突設され前記冠着
部材の側壁部を押圧する円状突起部が形成されているキャップ部材とから構成され、前記
冠着部材には、前記キャップ部材が冠着された際、前記キャップ部材の前記円状突起部の
上面部分に係合するキャップ用係止爪であって、前記天板部の周縁部から下方に延在する
キャップ用係止爪が形成されていることを特徴とするものである。
【０００７】
ここで、本発明の第１の手段と第２の手段においては、前記スペース形成手段は、前記
固定ナットの下端面に当接する前記固定ボルトが挿通可能なスペーサとしてもよいし、前
記スペース形成手段は、前記固定ナットの下端面に当接するワッシャーに形成された凸部
としてもよいし、前記スペース形成手段は、前記固定ナットの下面側に当該頭部と一体的
に形成されたテーパー部としてもよい。さらに前記スペース形成手段は、前記ボルトが挿
通可能な中空円筒状であって前記固定ナットの下端面と前記被固定物の表面との間に空隙
を形成するスペーサ部と、該スペーサ部の下端部から周辺方向に延在するよう当該スペー
サ部の下端部に連設された中空円盤状の底板部であって、その外径が前記キャップ部材の
下端部の外径に略等しい底板部と、該底板部の周縁部から鉛直方向上方に延在するように
当該底板部に連設された中空円筒状の底板立上部とから構成され、前記固定ナットの締着
時に前記底板部は前記被固定物の表面に圧接し、前記キャップ部材を装着した際、当該キ
ャップ部材の下端部に冠着状態となるスペース部材としてもよい。
【０００８】
本発明の第３の手段は、対象物に固定されているボルトが挿通可能な被固定物を当該ボ
ルトと螺合する固定ナットで前記ボルトに固定する際、前記固定ナットの下端面と前記被
固定物の表面との間に介挿固定される中空円盤状の固定部と、該固定部の周縁部に配設さ
れた弾性的に変形可能な複数個のキャップ用係止爪とからなるキャップ係止部材と、該キ
ャップ係止部材および前記固定ナットに冠着可能なキャップ部材であって、該キャップ部
材の内周壁面の下端部には、前記キャップ用係止爪を押圧可能な内側方向に突設された円
状突起部が形成されているキャップ部材とから構成され、前記キャップ係止部材および前
記固定ナットに前記キャップ部材を冠着した状態においては、前記キャップ部材の前記円
状突起部の上面部分に前記キャップ用係止爪が係合した状態となることを特徴とするもの
である。
【０００９】
ここで、前記キャップ係止部材の前記固定部には、前記固定ナットの周囲に屹立する円
筒状の側壁部が形成され、当該側壁部の外壁面には雄ネジ部が形成され、前記キャップ部
材の内部には、前記側壁部の雄ネジ部と螺合可能な雌ネジ部をその内壁面に有する円筒状
の内筒部が配設されていてもよい。
【００１０】
本発明の第４の手段は、対象物に固定されているボルトが挿通可能な被固定物を当該ボ
ルトと螺合する固定ナットで前記ボルトに固定する際、前記ボルトが貫通可能な貫通口が
底面部に形成され、当該底面部の周囲に前記固定ナットを囲む周壁部が形成された防犯具
本体と、該防犯具本体の上端部に固着可能な蓋体とから構成されることを特徴とするもの
である。
【００１１】
また、以上のの問題を解決するために本発明の第５の手段は、固定ボルトが挿通可能な
被固定物（ナンバープレートを除く）を当該固定ボルトと螺合する雌ネジ部を有する対象
物（車体を除く）に前記固定ボルトで固定した際、前記固定ボルトの頭部の下端面と前記
被固定物の表面との間に空隙を形成するスペース形成手段と、天板部と該天板部の周縁部
から下方に延在する複数枚の側壁部とを有し、前記固定ボルトの頭部に冠着する冠着部材
であって、前記複数枚の側壁部の下端部には、前記固定ボルトの頭部に冠着した際、前記
被固定物の表面と前記固定ボルトの頭部の下端面との間に形成されている空隙部分に挿入
可能なボルト用係止爪が形成されている冠着部材と、前記固定ボルトの頭部に冠着した前
記冠着部材に冠着するキャップ部材であって、該キャップ部材の内周壁面の下端部には、
内側方向に突設され前記冠着部材の側壁部を押圧する円状突起部が形成されているキャッ
プ部材とから構成され、前記冠着部材の側壁部には、前記キャップ部材が冠着された際、
前記キャップ部材の前記円状突起部の上面部分に係合するキャップ用係止爪が形成されて
いることを特徴とするものである。
【００１２】
本発明の第６の手段は、固定ボルトが挿通可能な被固定物（ナンバープレートを除く）
を当該固定ボルトと螺合する雌ネジ部を有する対象物（車体を除く）に前記固定ボルトで
固定した際、前記固定ボルトの頭部の下端面と前記被固定物の表面との間に空隙を形成す
るスペース形成手段と、天板部と該天板部の周縁部から下方に延在する複数枚の側壁部と
を有し、前記固定ボルトの頭部に冠着する冠着部材であって、前記複数枚の側壁部の下端
部には、前記固定ボルトの頭部に冠着した際、前記被固定物の表面と前記固定ボルトの頭
部の下端面との間に形成されている空隙部分に挿入可能なボルト用係止爪が形成されてい
る冠着部材と、前記固定ボルトの頭部に冠着した前記冠着部材に冠着するキャップ部材で
あって、該キャップ部材の内周壁面の下端部には、内側方向に突設され前記冠着部材の側
壁部を押圧する円状突起部が形成されているキャップ部材とから構成され、前記冠着部材
には、前記キャップ部材が冠着された際、前記キャップ部材の前記円状突起部の上面部分
に係合するキャップ用係止爪であって、前記天板部の周縁部から下方に延在するキャップ
用係止爪が形成されていることを特徴とするものである。
【００１３】
ここで、本発明の第５の手段と第６の手段においては、前記スペース形成手段は、前記
固定ボルトの頭部の下端面に当接する前記固定ボルトが挿通可能なスペーサとしてもよい
し、前記スペース形成手段は、前記固定ボルトの頭部の下端面に当接するワッシャーに形
成された凸部としてもよいし、前記スペース形成手段は、前記固定ボルトの頭部の下面側
に当該頭部と一体的に形成されたテーパー部としてもよい。さらに、前記スペース形成手
段は、前記固定ボルトが挿通可能な中空円筒状であって前記固定ボルトの頭部の下端面と
前記被固定物の表面との間に空隙を形成するスペーサ部と、該スペーサ部の下端部から周
辺方向に延在するよう当該スペーサ部の下端部に連設された中空円盤状の底板部であって
、その外径が前記キャップ部材の下端部の外径に略等しい底板部と、該底板部の周縁部か
ら鉛直方向上方に延在するように当該底板部に連設された中空円筒状の底板立上部とから
構成され、前記固定ボルトの締着時に前記底板部は前記被固定物の表面に圧接し、前記キ
ャップ部材を装着した際、当該キャップ部材の下端部に冠着状態となるスペース部材とし
てもよい。
【００１４】
本発明の第７の手段は、固定ボルトが挿通可能な被固定物（ナンバープレートを除く）
を当該固定ボルトと螺合する雌ネジ部を有する対象物（車体を除く）に前記固定ボルトで
固定する際、前記固定ボルトの頭部の下端面と前記被固定物の表面との間に介挿固定され
る中空円盤状の固定部と、該固定部の周縁部に配設された弾性的に変形可能な複数個のキ
ャップ用係止爪とからなるキャップ係止部材と、該キャップ係止部材および前記固定ボル
トの頭部に冠着可能なキャップ部材であって、該キャップ部材の内周壁面の下端部には、
前記キャップ用係止爪を押圧可能な内側方向に突設された円状突起部が形成されているキ
ャップ部材とから構成され、前記キャップ係止部材および前記固定ボルトの頭部に前記キ
ャップ部材を冠着した状態においては、前記キャップ部材の前記円状突起部の上面部分に
前記キャップ用係止爪が係合した状態となることを特徴とするものである。
【００１５】
ここで、前記キャップ係止部材の前記固定部には、前記固定ボルトの頭部の周囲に屹立
する円筒状の側壁部が形成され、当該側壁部の外壁面には雄ネジ部が形成され、前記キャ
ップ部材の内部には、前記側壁部の雄ネジ部と螺合可能な雌ネジ部をその内壁面に有する
円筒状の内筒部が配設されていてもよい。
【００１６】
本発明の第８の手段は、固定ボルトが挿通可能な被固定物（ナンバープレートを除く）
を当該固定ボルトと螺合する雌ネジ部を有する対象物（車体を除く）に前記固定ボルトで
固定する際、前記固定ボルトが貫通可能な貫通口が底面部に形成され、当該底面部の周囲
に前記固定ボルトの頭部を囲む周壁部が形成された防犯具本体と、該防犯具本体の上端部
に固着可能な蓋体とから構成されることを特徴とするものである。
【００１７】
以上の本発明の第１ないし第８の手段のうち、第５ないし第８の手段において、「対象
物」から車体を除き、「被固定物」からナンバープレートを除いてあるのは、「対象物」
を車体とし、「被固定物」をナンバープレートとする発明は、本願出願人が既に出願して
いるためである（特願２００４−２０８４０６）。
【発明の効果】
【００１８】
本発明によれば、固定ボルトを用いてこれと螺合する対象物に被固定物を固定した場合
や、固定ナットを用いて対象物に固定されているボルトに被固定物を固定した場合に、固
定ボルトや固定ナットを緩める際に使用される固定ボルトの頭部や固定ナットを外部に露
呈させることを著しく困難にすることができて、被固定物を盗むことを困難にすることが
できる。
【発明を実施するための最良の形態】
【００１９】
以下、図面を用いて本発明の実施例を説明する。
【実施例１】
【００２０】
図１は本発明の実施例１の構成を示す斜視図であり、図２はその分解斜視図である。
【００２１】
図１および図２において、Ｆはコンクリート等で形成された床であり、３はこの床Ｆに
その一部が埋設固定されているボルトである。５は、ボルト３と固定ナット４とによって
対象物である床Ｆに固定される自動販売機や変圧器等の被固定物である。４ｂは固定ナッ
ト４の下端面に当接するワッシャー、１０はワッシャー４ｂと被固定物５の表面との間に
空隙を形成するためのボルト３が挿通可能なスペーサである。
【００２２】
２０は固定ナット４に冠着する冠着部材であり、３０は冠着部材２０に冠着するキャッ
プ部材である。本実施例１においては、冠着部材２０は金属によって構成し、キャップ部
材３０は樹脂によって構成してあるが、この冠着部材２０を構成する材料やキャップ部材
３０を構成する材料は、以上の材料に限定されるものではない。
【００２３】
ここで図３，図４を用いて冠着部材２０およびキャップ部材３０の構成を説明する。図
３は冠着部材２０およびキャップ部材３０の構成を示す分解斜視図であり、図４は固定ナ
ット４に装着された状態での冠着部材２０およびキャップ部材３０の断面図である。なお
図３および図４において、４ｂは固定ナット４の下端面に密着するように配設されている
ワッシャーである。
【００２４】
先ず、金属製の冠着部材２０の構成について説明する。
【００２５】
冠着部材２０は、天板部２１と、この天板部２１の周縁部から下方（天板部２１から視
てボルト３の方向）に延在する複数枚の側壁部２２によって構成されている。
【００２６】
側壁部２２の下端部には、図４に示したように、固定ナット４およびワッシャー４ｂと
被固定物５の表面との間にスペーサ１０によって形成される空隙Ｓに挿入され、ワッシャ
ー４ｂを介して固定ナット４の下端面に当接するナット用係止爪２６が形成されている。
また、側壁部２２には、その一部を切断することによりキャップ用係止爪２４，２５が形
成されている。
【００２７】
この金属製の弾性を有する冠着部材２０は、固定ナット４およびワッシャー４ｂに容易
に被せることができるようにその側壁部２２が若干開いた状態に形成されている。
【００２８】
冠着部材２０に冠着する樹脂製のキャップ部材３０の内周壁面の下端部には、図４に示
したように、その全周に亘って内側方向に突出するように円状突起部３１が形成されてい
る。このキャップ部材３０の円状突起部３１に押圧されることにより、冠着部材２０のナ
ット用係止爪２６は、固定ナット４の下端面にワッシャー４ｂを介して当接した状態を維
持することができる。
【００２９】
ここで、図３に示したように、弾性を有する金属製の冠着部材２０の側壁部２２に配設
されているキャップ用係止爪２４，２５は、この冠着部材２０にキャップ部材３０を冠着
させた際、その下端部が、図４に示すキャップ部材３０の円状突起部３１の上面部分に当
接するように形成されている。本実施例においては、図５（ａ）に示したように、キャッ
プ用係止爪２５の下端部がキャップ用係止爪２４の下端部よりも若干下方に位置するよう
にそれぞれのキャップ用係止爪は形成されている。これは、図５（ａ）のＡ−Ａ断面図で
ある図５（ｂ）に示したように、キャップ用係止爪２５は若干撓んだ状態でその下端部が
円状突起部３１の上面に弾性的に当接するようにするためである。このようにキャップ用
係止爪２５が円状突起部３１の上面に弾性的に当接しているため、このキャップ部材３０
が所謂「ガタツク」ようなことはない。さらに、図５（ａ）のＢ−Ｂ断面図である図５（
ｃ）に示したようにキャップ用係止爪２４は円状突起部３１の上面に略直角な状態で当接
するように形成されているので、冠着部材２０に冠着しているキャップ部材３０を容易に
外すことはできない。
【００３０】
なお、キャップ用係止爪２５の長さを、キャップ用係止爪２４の長さと同じにしても本
発明の効果は得ることができる。さらに、以上説明した実施例においては、キャップ用係
止爪２４，２５を側壁部２２の一部を切断して形成するように構成されているが、このキ
ャップ用係止爪２４，２５は、図６に示すように、側壁部２２とは別体として、天板部２
１の周縁部に下方に延在するように配設してもよい。
【００３１】
以上説明したように、本実施例によれば、固定ナット４に冠着部材２０およびキャップ
部材３０が装着された図４に示した状態においては、固定ナット４を外部に露呈すること
を著しく困難とすることができる。
【００３２】
また、以上説明した本実施例１においては、固定ナット４およびワッシャー４ｂと被固
定物５の表面との間の空隙Ｓを、図７（ａ）に示したようなボルト３が挿通可能なスペー
サ１０により形成する構成となっているが、この空隙Ｓを形成するスペース形成手段はス
ペーサ１０に限られるものではない。例えば、図７（ｂ）に示したようにワッシャー４ｂ
の下面側に複数個の凸部４ｃを配設するようにして、この凸部４ｃをスペース形成手段と
してもよいし、またワッシャー４ｂを使用しない場合には、固定ナットの下面側に複数個
の凸部を配設するようにして、この凸部をスペース形成手段としてもよい。
【００３３】
さらに、図８（ａ）に示したように固定ナット４の下面側に、この下面側の周縁部と被
固定物５の表面との間に空隙Ｓが形成されるようなスペーサ部４ｓを固定ナット４と一体
的に形成するようにしてもよいし、図８（ｂ）に示したようにテーパー部４ｔを、固定ナ
ット４の下面側に固定ナット４と一体的となるように形成してもよい。図８（ｂ）に示し
たようなテーパー部４ｔをスペース形成手段とした場合には、図９に示したように冠着部
材２０のナット用係止爪２６の先端部がテーパー部４ｔのテーパー面に当接することによ
り、この図９に示した状態が維持される。
【００３４】
さらに、空隙Ｓを形成するスペース形成手段は、図１０および図１１に示すスペース部
材１４としてもよい。
【００３５】
このスペース部材１４は、図１０および図１１に示すように、固定ナット４を締着した
際に固定ナット４およびワッシャー４ｂと被固定物５の表面との間に空隙Ｓを形成するス
ペーサ部１１と、被固定物５の表面に圧接する底板部１２と、底板部１２の周縁部に連設
されている中空円筒状の底板立上部１３とによって構成されている。
【００３６】
スペーサ部１１は、ボルト３が挿通可能な中空円筒状の形状であり、その下端部には周
辺方向に延在するように中空円盤状の底板部１２が連設されている。
【００３７】
底板部１２の外径は、キャップ部材３０の外径と略等しくなるように選ばれている。底
板部１２の周縁部には、鉛直方向上方に延在するように、中空円筒状の底板立上部１３が
連設されている。
【００３８】
このように形成されたスペース部材１４は、図１１に示すように、固定ナット４を締着
した状態では底板部１２が被固定物５の表面に圧接し、キャップ部材３０を装着した際に
はそのキャップ部材３０の下端部に冠着した状態となる。従って、このようなスペース部
材１４を配設することとすれば、マイナスドライバーのような楔状の物をキャップ部材３
０の下端部に差し込んで、この装着状態にあるキャップ部材３０を外すことは出来なくな
る。
【実施例２】
【００３９】
図１２は、本発明の実施例２の構成を示す分解斜視図である。
【００４０】
図１２において、対象物である床Ｆ，被固定物５，ボルト３，ワッシャー４ｂ，固定ナ
ット４，キャップ部材３０の構成は、実施例１と同様であるので、その説明は省略する。
【００４１】
ここで、４０は、固定ナット４およびワッシャー４ｂと被固定物５との間に配設される
キャップ係止部材である。
【００４２】
このキャップ係止部材４０は、図１３に示すように、ワッシャー４ｂの外径よりもその
外径が大きい中空円盤状の固定部４１と、この固定部４１の周縁部に配設された「く」の
字形状の弾性的に変形可能なキャップ用係止爪４２とによって構成されている。
【００４３】
このように構成された本実施例２においては、図１３（ａ）に示したように、固定ナッ
ト４およびワッシャー４ｂの下端面と被固定物５の表面との間にキャップ係止部材４０を
介挿固定した状態で、キャップ部材３０を冠着させる。
【００４４】
キャップ部材３０をボルト３の方向に押圧すると、キャップ部材３０の円状突起部３１
によって押圧されてキャップ用係止爪４２が内側に弾性的に変形する。そして、図１３（
ｂ）の状態になったときに、キャップ用係止爪４２が外側に開いてその先端部がキャップ
部材３０の円状突起部３１の上面部分に係合してキャップ部材３０を係止する。
【００４５】
なお、本実施例２においては図１４および図１５（ａ），（ｂ）に示したように、キャ
ップ係止部材４０の固定部４１に、固定ナット４の周囲に屹立する円筒状の側壁部４３を
配設し、この側壁部４３の外壁面に雄ネジ部４４を形成し、キャップ部材３０の内部に雄
ネジ部４４と螺合可能な雌ネジ部３３をその内壁面に有する円筒状の内筒部３２を配設し
ておけば、キャップ部材３０をねじ込むことによりこのキャップ部材３０を固定ナット４
に冠着固定させることができる。
【実施例３】
【００４６】
図１６は、本発明の実施例３の構成を示す斜視図である。
【００４７】
図１６において、対象物である床Ｆ，被固定物５，ボルト３，ワッシャー４ｂ，固定ナ
ット４の構成は、実施例１の構成と同様であるので、その説明は省略する。
【００４８】
ここで、５０は、ボルト３の貫通口が底面部に形成され、この底面部５０ａの周囲に固
定ナット４およびワッシャー４ｂを囲む周壁部５０ｂが形成された有底円筒状の防犯具本
体である。また５１は、防犯具本体５０の上端部に固着可能な蓋体である。
【００４９】
本実施例３においては、防犯具本体５０および蓋体５１をプラスチック樹脂で形成し、
蓋体５１を防犯具本体５０の上部に圧入固定することができるように構成されている。
【００５０】
以上のように構成された本実施例３においては、図１７（ａ）に示したように、防犯具
本体５０を固定ナット４によって固定した後、図１７（ｂ）に示したように蓋体５１を圧
入固定することにより固定ナット４をその内部に密封することができる。
【００５１】
なお、本実施例３においては、平面形状が円形の底面部５０ａの周縁部に周壁部５０ｂ
が形成されているが、この底面部５０ａの平面形状は円形に限られるものではなく、四角
形等どのような形状であってもよい。さらに本実施例３においては、防犯具本体５０およ
び蓋体５１の材料はプラスチック樹脂であるが、この材料はプラスチック樹脂に限られる
ものではなく、例えば金属等の他の材料で防犯具本体５０および蓋体５１を構成してもよ
い。
【００５２】
以上説明下実施例１ないし実施例３は、対象物である床Ｆに埋設固定されているボルト
３に、被固定物５を固定ナット４で固定する場合に防犯機能を発揮する本発明の実施例で
ある。しかしながら、本発明の防犯効果は、このように対象物に被固定物を固定する固定
ナットに対してのみ発揮されるものではない。例えば、図１８および図１９に示したよう
に、床Ｆ等の対象物に形成された雌ネジ部ＦＨと螺合可能な固定ボルト２によって被固定
物５を対象物に固定する場合にも、本発明を用いれば、この固定ボルト２に対して防犯効
果を得ることができる。
【００５３】
以下、このような固定ボルト用防犯具として機能する本発明の実施例について説明する
。
【実施例４】
【００５４】
図２０は、先に説明した実施例１に係る固定ナット用キャップ式防犯具を、固定ボルト
用キャップ式防犯具として使用する場合の分解斜視図である。
【００５５】
ここで、Ｆは、固定ボルト２と螺合可能な雌ネジ部ＦＨが形成されている床であり、５
は、固定ボルト２によって対象物である床Ｆに固定される自動販売機や変圧器等の被固定
物である。２ｂは固定ボルト２の頭部２ａの下端面に当接するワッシャー、１０はワッシ
ャー２ｂと被固定物５の表面との間に空隙を形成するための固定ボルト２が挿通可能なス
ペーサである。
【００５６】
冠着部材２０の構成とキャップ部材３０の構成とは、先に説明した実施例１と同様の構
成であるのでその説明は省略する。なお、本実施例４では、実施例１におけるナット用係
止爪２６と同一のものをボルト用係止爪２３とする。
【００５７】
以上のように構成された本実施例４においては、図２０に示したように、固定ボルト２
にワッシャー２ｂ，スペーサ１０を順次挿通させた後、ドライバー等の器具によって固定
ボルト２の頭部２ａを締めて被固定物５を対象物である床Ｆに固定する。このような状態
で、固定ボルト２の頭部２ａおよびワッシャー２ｂに冠着部材２０を被せた後にキャップ
部材３０を装着する。
【００５８】
キャップ部材３０が装着された状態の断面図を図２１に示す。
【００５９】
図２１に示したように冠着部材２０を被せてキャップ部材３０を装着した状態において
、この冠着部材２０とキャップ部材３０とは、図４に示されている実施例１と同様の状態
となる。即ち、固定ボルト２の頭部２ａに冠着部材２０およびキャップ部材３０が装着さ
れた図２１に示した状態においては、固定ボルト２の頭部２ａを外部に露呈させ、これを
操作することは著しく困難となる。
【００６０】
なお、本実施例４においても、固定ボルト２の頭部２ａの周縁部の下端面と被固定物５
の表面との間に空隙Ｓを形成するスペース形成手段は、図２２（ａ）に示したスペーサ１
０に限られるものではない。例えば、図２２（ｂ）に示したように、ワッシャー２ｂの下
面側に複数個の凸部２ｃを配設するようにして、この凸部２ｃをスペース形成手段として
もよいし、またワッシャー２ｂを使用しない場合には、固定ボルト２の頭部２ａの下面側
に複数個の凸部を配設するようにして、この凸部をスペース形成手段としてもよい。さら
に図２３（ａ）に示したようにボルト２の頭部２ａの下面側に、この下面側の周縁部と被
固定物５の表面との間に空隙Ｓが形成されるようなスペーサ部２ｓを頭部２ａと一体的に
形成するようにしてもよいし、図２３（ｂ）に示したようにテーパー部２ｔを、頭部２ｂ
の下面側に頭部２ｂと一体的となるように形成してもよい。図２３（ｂ）に示したような
テーパー部２ｔをスペース形成手段とした場合には、図２４に示したように冠着部材２０
のボルト用係止爪２３の先端部がテーパー部２ｔのテーパー面に当接することにより、こ
の図２４に示した状態が維持される。
【００６１】
さらに、このスペース形成手段は、図１０および図１１を用いて先に説明したスペース
部材１４としてもよい。
【００６２】
また、先に説明した実施例２と実施例３において、固定ナット４を固定ボルト２の頭部
２ａ，床Ｆに埋設固定されているボルト３を床Ｆの雌ネジ部ＦＨに螺合可能な固定ボルト
２、ワッシャー４ｂをワッシャー２ｂ、ナット用係止爪２６をボルト用係止爪２３と見な
すこととすれば、これらの実施例に係る固定ナット用キャップ式防犯具を固定ボルト用キ
ャップ式防犯具とすることができる。
【図面の簡単な説明】
【００６３】
【図１】本発明の実施例１の構成を示す斜視図である。
【図２】本発明の実施例１の構成を示す分解斜視図である。
【図３】本発明の実施例１の構成を示す分解斜視図である。
【図４】本発明の実施例１の構成を示す断面図である。
【図５】本発明の実施例１の構成の説明図である。
【図６】本発明の実施例１の構成の説明図である。
【図７】本発明の実施例１の構成の説明図である。
【図８】本発明の実施例１の構成の説明図である。
【図９】本発明の実施例１の構成の説明図である。
【図１０】本発明の実施例１の構成の説明図である。
【図１１】本発明の実施例１の構成の説明図である。
【図１２】本発明の実施例２の構成を示す斜視図である。
【図１３】本発明の実施例２の構成を示す断面図である。
【図１４】本発明の実施例２の構成の説明図である。
【図１５】本発明の実施例２の構成の説明図である。
【図１６】本発明の実施例３の構成を示す斜視図である。
【図１７】本発明の実施例３の構成の説明図である。
【図１８】本発明の実施例４の説明図である。
【図１９】本発明の実施例４の説明図である。
【図２０】本発明の実施例４の構成を示す分解斜視図である。
【図２１】本発明の実施例４の構成を示す断面図である。
【図２２】本発明の実施例４の構成の説明図である。
【図２３】本発明の実施例４の構成の説明図である。
【図２４】本発明の実施例４の構成の説明図である。
【図２５】従来の固定ナットを用いた固定方法の説明図である。
【符号の説明】
【００６４】
２  固定ボルト
２ａ  頭部
２ｂ，４ｂ  ワッシャー
２ｃ  凸部
２ｓ，４ｓ  ，１１  スペーサ部
２ｔ，４ｔ  テーパー部
３  ボルト
４  固定ナット
５  被固定物
１０  スペーサ
１２  底板部
１３  底板立上部
１４  スペース部材
２０  冠着部材
２１  天板部
２２  側壁部
２３  ボルト用係止爪
２４，２５  キャップ用係止爪
２６  ナット用係止爪
３０  キャップ部材
３１  円状突起部
３２  内筒部
３３  雌ネジ部
４０  キャップ係止部材
４１  固定部
４２  キャップ用係止爪
４４  雄ネジ部
５０  防犯具本体
５０ａ  底面部
５０ｂ  周壁部
５１  蓋体
Ｆ  床
ＦＨ  雌ネジ部
Ｓ  空隙
【図１】
2006275072.tif 000003
【図２】
2006275072.tif 000004
【図３】
2006275072.tif 000005
【図４】
2006275072.tif 000006
【図５】
2006275072.tif 000007
【図６】
2006275072.tif 000008
【図７】
2006275072.tif 000009
【図８】
2006275072.tif 000010
【図９】
2006275072.tif 000011
【図１０】
2006275072.tif 000012
【図１１】
2006275072.tif 000013
【図１２】
2006275072.tif 000014
【図１３】
2006275072.tif 000015
【図１４】
2006275072.tif 000016
【図１５】
2006275072.tif 000017
【図１６】
2006275072.tif 000018
【図１７】
2006275072.tif 000019
【図１８】
2006275072.tif 000020
【図１９】
2006275072.tif 000021
【図２０】
2006275072.tif 000022
【図２１】
2006275072.tif 000023
【図２２】
2006275072.tif 000024
【図２３】
2006275072.tif 000025
【図２４】
2006275072.tif 000026
【図２５】
2006275072.tif 000027